(57)【特許請求の範囲】
【請求項１】
乾燥器本体に取り付けた蓋を固定蓋と可動蓋により形成し、その固定蓋の固定ヒンジ部と、これに対向して設けた可動蓋の可動ヒンジ部のいずれか一方に径方向にベンディングする円弧状の制動シューを、また、他方にその制動シューに対応しこれに摺接する制動突起をそれぞれ設けてなる食器乾燥器において、上記制動シューを２組設けるとともに、各制動シューを固定端から自由端側に至るに従い間隔が狭くなる２枚のシュー片により形成し、各制動シューを同一周回方向に見た場合にその固定端側から自由端側への方向が反対向きになるように配置し、上記制動突起を各制動シューのシュー片間に嵌入せしめ、蓋閉止状態において一方の制動シューの制動突起がその固定端側に、他方の制動シューの制動突起がその自由端側に位置するよう各制動シューと制動突起の位置関係を定めたことを特徴とする食器乾燥器。
【請求項２】
乾燥器本体に取り付けた蓋を固定蓋と可動蓋により形成し、その固定蓋の固定ヒンジ部と、これに対向して設けた可動蓋の可動ヒンジ部のいずれか一方に径方向にベンディングする円弧状の制動シューを、また、他方にその制動シューに対応しこれに摺接する制動突起をそれぞれ設けてなる食器乾燥器において、上記可動蓋を前部蓋とその前部蓋と固定蓋との間に設けられ、かつ該前部蓋と連動する中間蓋とにより構成し、上記固定蓋に設けた固定ヒンジ部に対し中間蓋に設けた中間ヒンジ部と、前部蓋に設けた前部ヒンジ部をそれぞれ回動自在に結合し、上記制動シューを中間ヒンジ部に２組設け、各制動シューを固定端から自由端側に至るに従い間隔が狭くなる２枚のシュー片により形成し、各制動シューを同一周回方向に見た場合にその固定端側から自由端側への方向が反対向きになるように配置し、上記固定ヒンジ部の２か所に設けた制動突起を各制動シューのシュー片の間に嵌入せしめ、蓋閉止状態において一方の制動シューの制動突起がその固定端側に、他方の制動シューの制動突起がその自由端側に位置するよう各制動シューと制動突起の位置関係を定めたことを特徴とする食器乾燥器。
【請求項３】
上記中間ヒンジ部の外側に前部ヒンジ部を回転自在に嵌合し、前部蓋の開放時に該中間ヒンジ部に設けたベンディング片の外向き突起を係合せしめ、前部蓋開放時に該ベンディング片に設けた内向き突起を上記固定ヒンジ部に設けた規制リブに摺接せしめ、該規制リブの範囲を前部蓋の開放開始時から中間蓋の開放終了までの範囲に設定し、その範囲を越える前部蓋の開放に対し上記ベンディング片がベンディングして外向き突起との係合を解除せしめ、その係合の解除後、該外向き突起を前部ヒンジ部内面に摺接せしめ前部蓋の開放に制動トルクを付与することを特徴とする請求項２に記載の食器乾燥器。
【請求項４】
上記前部蓋の後端係止縁を、該前部蓋の閉止時に中間蓋の前端係止縁に係合させ、中間蓋の閉止時の制動トルクを前部蓋に作用させるようにしたことを特徴とする請求項２又は３に記載の食器乾燥器。
【請求項５】
乾燥器本体に取り付けた蓋を固定蓋と可動蓋により形成し、その固定蓋の固定ヒンジ部と、これに対向して設けた可動蓋の可動ヒンジ部乾燥器本体に設けた固定ヒンジ部と、これに対向して蓋に設けた蓋ヒンジ部のいずれか一方に径方向にベンディングする円弧状の制動シューを、また、他方にその制動シューに対応しこれに摺接する制動突起をそれぞれ設けてなる食器乾燥器において、上記可動蓋を前部蓋とその前部蓋と固定蓋との間に設けられ、かつ該前部蓋と連動する中間蓋とにより構成し、上記固定蓋に設けた固定ヒンジ部に対し中間蓋に設けた中間ヒンジ部と、前部蓋に設けた前部ヒンジ部をそれぞれ回動自在に結合し、上記制動シューを中間ヒンジ部に２組設け、各制動シューを固定端から自由端側に至るに従い間隔が狭くなる２枚のシュー片により形成し、各制動シューを同一周回方向に見た場合にその固定端側から自由端側への方向が同一向きになるように配置し、上記制動突起を上記固定ヒンジ部と前部ヒンジ部に設け、これらの各制動突起を各制動シューのシュー片の間に嵌入せしめ、蓋閉止状態において上記固定蓋に設けた制動突起が一方の制動シューの固定端側に、上記前部蓋に設けた制動突起が他方の制動シューの自由端側に位置するよう各制動シューと制動突起の位置関係を定めたことを特徴とする食器乾燥器。
【請求項６】
上記中間ヒンジ部にベンディング片を設け、そのベンディング片に上記固定ヒンジ部に摺接する突起を設けたことを特徴とする請求項５に記載の食器乾燥器。
【請求項７】
上記各制動シューを設けたシュー基板を上記中間ヒンジ部とは別の部材で形成し、そのシュー基板を該ヒンジ部に一体に組み合わせたことを特徴とする請求項１から６のいずれかに記載の食器乾燥器。
【発明の詳細な説明】
【０００１】
【発明の属する技術分野】
この発明は食器乾燥器に関し、特にその蓋の開閉構造に関すものである。
【０００２】
【従来の技術】
食器乾燥器において、蓋の回転中心を水平方向に設定して該蓋を前後方向に開閉する開閉構造を採用した場合、特に後方に開放した際の緩衝を図るために、従来からコイルばねを用いた緩衝装置を設けることが知られている。また、開放時だけでなく閉止時においても緩衝作用を行わせるために、ヒンジ部の周りにカムを設け、そのカムを弾性スリーブに当接させることも知られている（特開平１１−３４６９９０号公報）。また、ヒンジ部の周りの回転部にベンディング性のある制動シューを設け、固定部に設けた制動突起をその制動シューに摺接させて、制動トルクを得るようにすることも従来から行われている。
【０００３】
【発明が解決しようとする課題】
上記のカムや制動シューを用いた緩衝装置はコイルばねを用いたものより低コストで製作できる利点があるが、いずれも蓋のヒンジ部に半径方向内向きの力を加えて制動するようになっているので、ヒンジ部周りの荷重にアンバランスが生じ、蓋の嵌合隙間の範囲内で回転中心にずれが生じる。このため、蓋の開閉に円滑性を欠き、また、早期摩耗が発生し易い等の問題があった。
【０００４】
そこで、この発明は、上記の制動シューを用いた緩衝装置付きの食器乾燥器において、蓋のヒンジ部周りの荷重のバランスが良く、蓋の開閉が円滑に行える食器乾燥器を提供することを課題とする。
【０００５】
【課題を解決するための手段】
上記の課題を解決するために、この発明は、乾燥器本体に取り付けた蓋を固定蓋と可動蓋により形成し、その固定蓋の固定ヒンジ部と、これに対向して設けた可動蓋の可動ヒンジ部のいずれか一方に径方向にベンディングする円弧状の制動シューを、また、他方にその制動シューに対応しこれに摺接する制動突起をそれぞれ設けてなる食器乾燥器において、上記制動シューを２組設けるとともに、各制動シューを固定端から自由端側に至るに従い間隔が狭くなる２枚のシュー片により形成し、各制動シューを同一周回方向に見た場合にその固定端側から自由端側への方向が反対向きになるように配置し、上記制動突起を各制動シューのシュー片間に嵌入せしめ、蓋閉止状態において一方の制動シューの制動突起がその固定端側に、他方の制動シューの制動突起がその自由端側に位置するよう各制動シューと制動突起の位置関係を定めた構成を採用した。
【０００６】
上記の構成によると、使用者が蓋に手を掛けて開放するとき、全開状態に近づくに従って、一方の制動シューによる制動トルクが大きくなり、全開前に手を離しても緩衝作用がはたらき、蓋が衝撃的に開放されることが防止される。また、同様に、蓋を閉止する際は、その全閉状態に近づくに従って、他方の制動シューによる制動トルクが大きくなり、全閉前に手を離しても全閉時において蓋に緩衝作用がはたらく。
【０００７】
また、前記の課題を解決する他の解決手段として、乾燥器本体に取り付けた蓋を固定蓋と可動蓋により形成し、その固定蓋の固定ヒンジ部と、これに対向して設けた可動蓋の可動ヒンジ部のいずれか一方に径方向にベンディングする円弧状の制動シューを、また、他方にその制動シューに対応しこれに摺接する制動突起をそれぞれ設けてなる食器乾燥器において、上記可動蓋を前部蓋とその前部蓋と固定蓋との間に設けられ、かつ該前部蓋と連動する中間蓋とにより構成し、上記固定蓋に設けた固定ヒンジ部に対し中間蓋に設けた中間ヒンジ部と、前部蓋に設けた前部ヒンジ部をそれぞれ回動自在に結合し、上記制動シューを中間ヒンジ部に２組設け、各制動シューを固定端から自由端側に至るに従い間隔が狭くなる２枚のシュー片により形成し、各制動シューを同一周回方向に見た場合にその固定端側から自由端側への方向が反対向きになるように配置し、上記固定ヒンジ部の２か所に設けた制動突起を各制動シューのシュー片の間に嵌入せしめ、蓋閉止状態において一方の制動シューの制動突起がその固定端側に、他方の制動シューの制動突起がその自由端側に位置するよう各制動シューと制動突起の位置関係を定めた構成を採用することができる。
【０００８】
この場合は、前部蓋と連動する中間蓋の開放時と閉止時において、それぞれ一方の制動シューと他方の制動シューにより制動トルクが発生し、中間蓋の全開時と全閉時に緩衝作用がはたらく。
【０００９】
また、上記中間ヒンジ部の外側に前部ヒンジ部を回転自在に嵌合し、前部蓋の開放時に該中間ヒンジ部に設けたベンディング片の外向き突起を係合せしめ、前部蓋開放時に該ベンディング片に設けた内向き突起を上記固定ヒンジ部に設けた規制リブに摺接せしめ、該規制リブの範囲を前部蓋の開放開始時から中間蓋の開放終了までの範囲に設定し、その範囲を越える前部蓋の開放に対し上記ベンディング片がベンディングして外向き突起との係合を解除せしめ、その係合の解除後、該外向き突起を前部ヒンジ部内面に摺接せしめ前部蓋の開放に制動トルクを付与する構成を採用することができる。
【００１０】
この構成を採用すると、前述の場合と同様に中間蓋の全開時と全閉時の緩衝作用がはたらくとともに、前部蓋の全開時にも緩衝作用がはたらく。
【００１１】
また、上記前部蓋の後端係止縁を、該前部蓋の閉止時に中間蓋の前端係止縁に係合させ、中間蓋の閉止時の制動トルクを前部蓋に作用させるようにした構成を追加的に採用することができる。この構成によると、前部蓋の全閉時の衝撃を緩和することができる。
【００１２】
また、前記の課題を解決するその他の手段として、同様の食器乾燥器において、上記可動蓋を前部蓋とその前部蓋と固定蓋との間に設けられ、かつ該前部蓋と連動する中間蓋とにより構成し、上記固定蓋に設けた固定ヒンジ部に対し中間蓋に設けた中間ヒンジ部と、前部蓋に設けた前部ヒンジ部をそれぞれ回動自在に結合し、上記制動シューを中間ヒンジ部に２組設け、各制動シューを固定端から自由端側に至るに従い間隔が狭くなる２枚のシュー片により形成し、各制動シューを同一周回方向に見た場合にその固定端側から自由端側への方向が同一向きになるように配置し、上記制動突起を上記固定ヒンジ部と前部ヒンジ部に設け、これらの各制動突起を各制動シューのシュー片の間に嵌入せしめ、蓋閉止状態において上記固定蓋に設けた制動突起が一方の制動シューの固定端側に、上記前部蓋に設けた制動突起が他方の制動シューの自由端側に位置するよう各制動シューと制動突起の位置関係を定めた構成を採用することができる。
【００１３】
この構成によると、中間蓋がその全開時において一方の制動シューにより緩衝され、また、前部蓋がその全閉時において他方の制動シューにより緩衝される。
【００１４】
さらに、上記中間蓋のヒンジ部にベンディング片を設け、そのベンディング片に上記固定蓋のヒンジ部に摺接する突起を設けた構成を追加すると、中間蓋の全開時と前部蓋の全閉時においてその摺接による制動トルクが加算され、一層確実な緩衝作用を行なうことができる。
【００１５】
【発明の実施の形態】
以下、この発明の実施形態を添付図面に基づいて説明する。図１に示した第１実施形態の食器乾燥器は、乾燥器本体１に蓋２を被せたものであり、その蓋２は固定蓋７と、可動蓋としての前部蓋９とからなり、それぞれ、固定ヒンジ部１３と前部ヒンジ部３４を有する。固定蓋７は乾燥器本体１の後部に固定され、そのヒンジ部１３の外側に前部ヒンジ部３４を合わせ、軸受ボス部１９で連結することにより、前部蓋９を開閉自在に取り付けている。
【００１６】
前部ヒンジ部３４の中心対向位置に円弧形の制動シュー４２、４２’が設けられる。各制動シュー４２、４２’は、一端部が自由端４２ａ、他端部が固定端４２ｂとなった円弧状のベンディング可能な２本のシュー片を並設したものである。両方の制動シュー４２、４２’の向きは反対である。即ち、前部蓋９の開放方向の周回方向（矢印Ａ参照）に見た場合、一方の制動シュー４２は自由端４２ａから固定端４２ｂの方向に向くが、他方の制動シュー４２’は、これとは反対に固定端４２ｂから自由端４２ａの方向を向く。各制動シュー４２、４２’を構成する２本のシュー片間に、固定端４２ｂ側から自由端４２ａ側へ至るに従い次第に間隔が狭くなる摺動溝４７が形成される。
【００１７】
上記の前部蓋ヒンジ３４の内側に固定蓋７の固定ヒンジ部１３が対向状に設けられ、その固定ヒンジ部１３の２箇所に設けられた制動突起２１ａ、２１ｂが、それぞれ前記の制動シュー４２、４２’の各摺動溝４７に嵌入される。制動シュー４２，４２’と制動突起２１ａ、２１ｂの位置関係は、図示のように前部蓋９を閉止した状態で、一方の制動突起２１ａが制動シュー４２の固定端４２ｂ側にあり、他方の制動シュー４２’においては、制動突起２１ｂが自由端４２ａ側にあるような関係に定められる。
【００１８】
上記の食器乾燥器においては、前部蓋９の指掛け突片３７をつまんで、矢印ａで示す方向に前部蓋９を開放すると、全開状態に近づくに従って制動突起２１ａの制動シュー４２に対する摩擦抵抗が増大し制動トルクが大きくなる。このため前部蓋９の全開前に指掛け突片３７から指が離れることがあっても全開時の衝撃が緩和される。
【００１９】
また、全開状態から前部蓋９を閉める場合は、制動突起２１ｂに対する制動シュー４２’の摩擦抵抗の増大による制動トルクの発生により、同様に全閉時の衝撃が緩和される。
【００２０】
図２に示した第２実施形態は、前記の固定蓋７と前部蓋９以外に、これらの間に中間蓋８を介在して全体としてドーム形の蓋２を構成したものである。前部蓋９と中間蓋８により可動蓋が構成され、中間蓋８は中間ヒンジ部２４を有する。る。中間ヒンジ部２４は前記の固定ヒンジ部１３と前部ヒンジ部３４の間に介在され、これらのヒンジ部１３，２４，３４は共通の軸受ボス部１９上で結合され、前部蓋９と中間蓋８は開閉自在であり、中間蓋８は前部蓋９に連動する。その連動機構は各種あるが、図示の場合は、中間ヒンジ部２４に規制突起２９を設け、その規制突起２９を前部蓋９の前部ヒンジ部３４に設けた円弧溝３８に嵌入した構成を示している。
【００２１】
また、中間ヒンジ部２４に２つの制動シュー４２、４２’が設けられ、これらの制動シュー４２、４２’のシュー間に固定蓋７に設けた制動突起２１ａ、２１ｂを嵌入している。これらの制動シュー４２、４２’の構造及び制動突起２１ａ、２１ｂとの関係は前述第１実施形態の場合と同様である。
【００２２】
この第２実施形態は、前部蓋９が矢印ａで示す方向に開放される途中で、中間ヒンジ部２４の規制突起２９が前部ヒンジ部３４の円弧溝３８の一端に係合され、前部蓋９とともに中間蓋８が矢印ｂ方向に連動されて開放される。中間蓋８が全開状態になる前に制動シュー４２において、前述の場合と同様に制動トルクが発生し中間蓋８に制動をかけ、中間蓋８の全開時における衝突を緩和する。
【００２３】
また、全開状態から前部蓋９を閉止する場合は、その途中で前部蓋９の後端係止縁３６が中間蓋８の前端係止縁２７に係合して中間蓋８を連動せしめ、ともに閉止方向に回動する。中間蓋８が全閉状態になる前に制動シュー４２’において制動トルクが発生し、中間蓋８に制動をかける。前部蓋９は中間蓋８と一体に回動しているので、同時に前部蓋９にも制動が及ぶ。このため、前部蓋９の全閉前にその指掛け突片３７から指先が離れることがあっても、前部蓋９の全閉時における衝撃は緩和される。
【００２４】
以上述べた第１実施形態と、第２実施形態は、以下に述べる第３実施形態と第４実施形態の基本構造となっている。
【００２５】
そこで、次に、第３実施形態を図３から図９に基づいて説明する。第３実施形態の食器乾燥器は、乾燥器本体１と蓋２及び内部に出し入れ自在に収納される食器かご３でより構成される。乾燥器本体１は、内部に水受け皿４が設けられると共に、その水受け皿４の後方に温風吹出口５が設けられる。温風を発生する電装部６が乾燥器本体１の内部に設けられる。
【００２６】
前記の蓋２は、乾燥器本体１の後半部外周縁に着脱自在に搭載される。その蓋２は、固定蓋７、中間蓋８及び前部蓋９をドーム状に組み合わせて構成され、ヒンジ部分に後述のシュー基板１０（図５、図６参照）が介在されるとともに、ヒンジ部分の外側面にヒンジキャップ２０が嵌着される。上記の中間蓋８と前部蓋９が可動蓋を構成する。
【００２７】
固定蓋７は円弧状の固定蓋面１１（図５参照）の両端部に固定側面１２を設けてなり、各固定側面１２に補強された円板状の固定ヒンジ部１３が設けられる。その固定ヒンジ部１３の部分を支持するために、該固定ヒンジ部１３の下半分と一体の支持部１４が固定側面１２の前半部に設けられる。上記の支持部１４を含む固定側面１２の下端縁は、乾燥器本体１の外側段部１５（図３参照）に載る。また、上記の固定蓋面１１の前端縁には外向きの前端係止縁１７が設けられる。固定ヒンジ部１３の中心部に円筒状の軸受ボス部１９が外向きに突き出して設けられ、その軸受ボス部１９の半径方向外方に制動突起２１ａ、２１ｂが外向きに突き出して設けられる。
【００２８】
前述の中間蓋８は円弧状の中間蓋面２２と、その両側に設けられた三角形の中間側面２３、２３とからなり、その各中間側面２３の下端部に補強された円板状の中間ヒンジ部２４（図５、図６参照）が設けられる。その中間ヒンジ部２４の中心部に円筒状の回転ボス部２５が外向きに突き出して設けられる。また中間蓋面２２の後端縁に内向きの後端係止縁２６が設けられ、その後端係止縁２６が前記固定蓋７の前端係止縁１７と係合して該中間蓋８の閉鎖方向への一定以上の回転を阻止する。また、中間蓋面２２の前端縁に外向きの前端係止縁２７が設けられる。上記の回転ボス部２５の内面に浅い回り止め溝２８、２８が軸方向に設けられ、更に、上記回転ボス部２５の半径方向外方に規制突起２９、及び後述の円弧穴５７が設けられる。
【００２９】
前述の前部蓋９は、円弧状の前部蓋面３２と、その両側に設けられた前部側面３３とからなり、各前部側面３３の後端部に補強された円板状の前部ヒンジ部３４（図５、図６参照）が設けられる。その前部ヒンジ部３４の中心部に短い円筒状の回転ボス部３５が設けられる。また、前部蓋面３２の後端縁に内向きの後端係止縁３６が設けられ、その前部蓋面３２の下端部外側面に指掛け突片３７が設けられる。上記の前部ヒンジ部３４には、回転ボス部３５と同心状の円弧溝３８が設けられる。この円弧溝３８に前述の中間蓋８の規制突起２９がスライド自在に嵌入される。
【００３０】
前述のシュー基板１０は、図６に示すように、中間蓋８の中間ヒンジ部２４の内面に嵌着され、固定蓋７の固定ヒンジ部１３の外側面と対面する。このシュー基板１０は、図７に示すように、中心部に外向きに突き出したボス部３９を有し、そのボス部３９の先端外面に係合リブ４１、４１が設けられる。この係合リブ４１、４１は、中間蓋８の回転ボス部２５に設けられた回り止め溝２８、２８に係合される。
【００３１】
上記のシュー基板１０は、図７に示すように、その内面側に半周強の２本の円弧状リブ４０、４０が並設され、さらにこれらの間に補助リブ４０’、４０’が渡される。これらの各補助リブ４０’、４０’から、先端までの間が制動シュー４２、４２’となっており、これらに対面したシュー基板１０の部分に穴５２、５２’が設けられ、補助リブ４０’、４０’側が固定端４２ｂ、先端側が自由端４２ａとなっている。
【００３２】
各制動シュー４２は、固定端４２ｂから自由端４２ａまで円弧状に９０度強の範囲にわたり穴５２、５２上に片持ち状に伸び出している。各制動シュー４２，４２’は、径方向に配列された外側シュー片４４と、内側シュー片４４’とからなり、外側シュー片４４の先端部に内向き屈曲された先端屈曲部４５、４５’が形成される。各シュー片４４、４４’は、径方向にベンディングする弾力性を有する。
【００３３】
上記の外側シュー片４４と内側シュー片４４’の間には、固定端４２ｂから自由端４２ａまでの範囲に渡る摺動溝４７、４７が形成される。この摺動溝４７、４７は固定端４２ｂから自由端４２ａに至るに従い次第に狭くなるように形成される。
【００３４】
制動シュー４２、４２’に関する上記の説明から明らかなように、両方の制動シュー４２、４２’の向きは反対である。即ち、同一周回方向（図７（ｂ）の矢印Ａ参照）に見た場合、一方の制動シュー４２は自由端４２ａから固定端４２ｂの方向に向くが、他方の制動シュー４２’は、これとは反対に固定端４２ｂから自由端４２ａの方向を向く。
【００３５】
上記のシュー基板１０には、そのほかに、コの字状の溝５３に囲まれたベンディング片５４が設けられる。このベンディング片５４の先端に内向き突起５６と外向き突起５５がシュー基板１０の面から内外に突き出して設けられる。
【００３６】
シュー基板１０に設けた上記の制動シュー４２、４２’及びベンディング片５４は、基本的には中間ヒンジ部２４に設けてもよいが、構造の複雑化を避けるため、及び弾性確保等のため、別部材のシュー基板１０を設け、そのシュー基板１０を中間ヒンジ部２４に一体化している。
【００３７】
上記の各制動シュー４２、４２’の摺動溝４７に前述の制動突起２１ａ、２１ｂが嵌入されるが、その位置関係は、図１、図２に示した第１、第２実施形態の場合と同様に、蓋２の閉止状態において、一方の制動突起２１ａは制動シュー４２の固定端４２ｂ側にあり、他方の制動シュー４２’においては、自由端４２ａ側にあるような関係に設定される（図４参照）。
【００３８】
従って、中間蓋８が開放される場合は、これと一体にシュー基板１０が回動し、制動シュー４２、４２’が移動する結果、一方の制動シュー４２に嵌入された制動突起２１ａが内外のシュー片４４、４４’を押し広げながら自由端４２ａ側へ移動する。中間蓋８が全開状態になると、制動突起２１ａは自由端部４２ａに達し、大きな制動トルクを発生する。
【００３９】
また、前記のベンディング片５４の外向き突起５５は、中間ヒンジ部２４の前述の円弧穴５７に貫通され、さらにその先端部が前部ヒンジ部３４の円弧溝３８に嵌入される。その外向き突起５５の先端部は、前部蓋９の閉止状態において、円弧溝３８の下端壁５８との間に多少の間隔Ｓをおく位置関係にある（図９（ａ）参照）。従って、前部蓋９が間隔Ｓだけ開放されると、その下端壁５８が外向き突起５５に係合し（図９（ｂ）参照）、それ以後は中間蓋８が前部蓋９に連動され、一体に開方向に移動する。この間隔Ｓは実質的にゼロであってもよい。
【００４０】
一方、上記ベンディング片５４の内向き突起５６は、固定ヒンジ部１３の外表面に設けた規制リブ５９（図６（ｂ）、図８（ａ）参照）に当接する。規制リブ５９は、図８（ｃ）に示すように、中間蓋８の回動範囲Ｒにわたり形成され、これに摺接する内向き突起５６と一体の前記の外向き突起５５を一定高さに保持する。外向き突起５５がこのように一定高さに保持される結果、前記の下端壁５８との係合が保持され、確実に中間蓋８を前部蓋９に連動させ開放することができる。
【００４１】
上記の規制リブ５９の終端部において、固定ヒンジ部１３には凹所６１が形成される。その凹所６１に前記の内向き突起５６が到達すると、外向き突起５５に対する規制が解除される。その時点で中間蓋８は全開状態となり、回動が停止されるので、前部蓋９はその下端壁５８で外向き突起５５に力を加えてベンディング片５４を変形させて乗り越える（図８（ｂ）の二点鎖線参照）。
【００４２】
このようにして、中間蓋８が全開状態になった後は、前部蓋９が単独で開放される。このとき、ベンディング片５４はベンディングしたままその外向き突起５５が前部ヒンジ部３４の内面に摺接するため、前部蓋９に対し制動トルクを発生させる。
【００４３】
前部蓋９が全開状態になった際にその回動を停止させる構造として、中間蓋８の中間ヒンジ部２４に規制突起２９を設け、その規制突起２９を前部ヒンジ部３４の円弧溝３８に嵌入させた構造をとっている。これによると、中間蓋８が全開状態となって回動が停止したのち、前部蓋９のみが回動し、円弧溝３８の下端壁５８が規制突起２９に係合することにより前部蓋３９の回動が停止される（図９（ｄ）参照）。
【００４４】
第３実施形態は以上のようなものであり、次にその作用について説明する。蓋２が閉止された状態（図４、図９（ａ）参照）から、使用者が前部蓋９の指掛け突起３７をつまんでこれを開放すると、間隔Ｓだけ回動したときに前部蓋９の下端壁５８が中間蓋８と一体の外向き突起５５に係合する。前部蓋９の開放を進めると、図９（ｂ）から（ｃ）に示すように、前部蓋９と中間蓋８が一体となって開放される。下端壁５８と外向き突起５５の係合は、内向き突起５６が規制リブ５９に摺接しベンディグ片５４のベンディングが規制されるため、外れることはない。
【００４５】
また、このとき、一方の制動突起２１ａは制動シュー４２の摺動溝４７を固定端４２ｂから自由端４２ａ側に移動するため、次第に摩擦抵抗が増大し、摺動溝４７の先端に到達し先端屈曲部４５（図７（ｂ）参照）に係合した時点、即ち、中間蓋８が全開した時点で最大の制動トルクが得られ、中間蓋８は緩衝作用を受けながら全開状態となって停止する。
【００４６】
中間蓋８が全開になった上記の時点において、内向き突起５６は凹所６１上に臨む（図８（ｂ）参照）。従って、前部蓋９の開放を続けると下端壁５８により外向き突起５５が押込まれ、同時にベンディング片５４がベンディングするので、下端壁５８は外向き突起５５を乗り越えて回転し、図９（ｃ）から（ｄ）に示すように開放を続け、下端壁５８が規制突起２９に係合して全開状態となり停止する。このとき、外向き突起５５はベンディング片５４の復元方向のベンディングにより前部ヒンジ部３４の内面に摺接し、前部蓋９に制動トルクを与える。これにより前部蓋９も緩衝作用を受けながら全開状態となって停止する。図３はその全開状態を示す。
【００４７】
また、蓋２を閉める場合は、開放状態にある全部蓋９の指掛け突片３７をつまんで閉止方向に回動させると、図９（ｄ）から（ｃ）の状態までは前部蓋９が単独で回動するが、図９（ｃ）の時点で前部蓋９の後端係止縁３６が中間蓋８の前端係止縁２７に係合するため、中間蓋８が前部蓋９と一体に回動する。中間蓋８の回動とともに、制動シュー４２’に嵌合した制動突起２１ｂがその固定端４２ｂ側から自由端４２ａ側に移動し、次第に摩擦抵抗が増大する。中間蓋８の全閉状態において最大の制動トルクがえられ、停止時の衝撃が緩和される。
【００４８】
また、前部蓋９はその後端係止縁３６により中間蓋８の前端係止縁２７に係合されるので、その係合を通じて中間蓋８の制動トルクを受ける。また、その回動の途中から、内向き突起５６が規制リブ５９に摺接するため、これによっても制動トルクを受け、停止時の衝撃が緩和される。
【００４９】
次に、図１０に基づいて第４実施形態を説明する。この実施形態は前述の第２実施形態（図２参照）の場合と基本的に共通している。相違する点は、制動シュー４２’の向きが反対である点、及び制動突起２１ｂが前部ヒンジ部３４に設けられる点、及び前部蓋９と中間蓋８の連動構造にある。
【００５０】
即ち、この場合の二つの制動シュー４２、４２’は、自由端４２ａから固定端４２ｂの方向を、前部蓋９の開放方向と同一の周回方向（矢印Ａ参照）に見た場合に、両方とも同一方向を向く関係にある。また、蓋２の閉止状態において制動突起２１ａは制動シュー４２の固定端４２ｂ側に位置し、他方の制動突起２１ｂも制動シュー４２’の固定端４２ｂ側に位置する。
【００５１】
前部蓋９と中間蓋８の連動構造は、上記の制動突起２１ｂが制動シュー４２’の固定端４２に係合した図１０の蓋閉止状態から、前部蓋９を開放すると、その制動突起２１ｂが固定端４２ｂに係合して中間蓋８を連動させる構造を採用している。
【００５２】
この場合、制動シュー４２は中間蓋８の全開時の衝撃を緩和する作用を行なう。これに対し、他方の制動シュー４２’は前部蓋９の全閉時の衝撃を緩和する作用を行なう。この第４実施形態は、次に説明する第５実施形態の基本構造をなしている。
【００５３】
次に、図１１から図１５に基づいて、第５実施形態を説明する。この場合の基本的な構造は、前述の第３実施形態の場合と共通しているので、以下主として相違するところを説明する。図１２から図１４に示すように、この場合のシュー基板１０に設けられた制動シュー４２、４２’の方向は、先に第４実施形態において説明したと同様に、自由端４２ａから固定端４２ｂの方向を前部蓋９の開放方向と同一周回方向（図１１、図１４の矢印Ａ参照）に見た場合に、両方とも同一方向を向く関係にある。また、一方の制動シュー４２に嵌入される制動突起２１ａは固定蓋７の固定ヒンジ部１３に設けられ、また、他方の制動シュー４２’に嵌入される制動突起２１ｂは前部蓋９の前部ヒンジ部３４に設けられる。
【００５４】
そして、それらの位置関係は、前述の第４実施形態の場合と同様に、蓋２の閉止状態において制動突起２１ａは制動シュー４２の固定端４２ｂ側に位置し、また、他方の制動突起２１ｂも制動シュー４２’の固定端４２ｂ側に位置する（図１１参照）。
【００５５】
また、前部蓋９と中間蓋８との連動構造として、中間ヒンジ部２４に円弧溝３８’を設け、前記の制動突起２１ａをその穴を通して制動シュー４２’の固定端４２ｂ側に嵌入する構造を採用している。
【００５６】
上記のシュー基板１０には、ベンディング片５４が設けられ、そのベンディング片５４の先端に内向き突起５６が設けられ、その内向き突起５６が所要の弾性をもって固定ヒンジ部１３の外面に摺接する。この摺接は中間蓋８の開閉の全範囲において行なわる。
【００５７】
その他の構成は、前述の第３実施形態の場合と同じであるので、同一部分には同一符号を付して示すにとどめ、その説明を省略する。
【００５８】
第５実施形態は以上のようなものであり、図１１及び図１５（ａ）に示した蓋２の閉止状態から、前部蓋９を開放すると、制動突起２１ｂが制動シュー４２’の固定端４２ｂに係合して中間蓋８を連動させる。中間蓋８の回動により制動突起２１ａが制動シュー４２の固定端４２ｂ側から自由端４２ａ側に移動させる。これにより中間蓋８に制動トルクが発生する。また、これと同時にベンディング片５４の内向き突起５６の固定ヒンジ部１３に対する摩擦による制動トルクが加算され、中間蓋８の全開時の衝撃を緩和する。
【００５９】
また、蓋２を閉止するときは、前部蓋９を閉めると、制動シュー４２’に対する制動突起２１ｂの摩擦が増大し、制動トルクが発生する。前部蓋９の閉止途中で後端係止縁３６が中間蓋８の前端係止縁２７と係合するため。前部蓋９と中間蓋８は連動して閉止される。前部蓋９の全閉時に制動トルクが最大となり、衝撃が緩和される。また、その制動トルクにベンディング片５４の内向き突起５６による制動トルクが加算される。
【００６０】
なお、以上述べたいずれの実施形態においても、制動シュー４２、４２’はそれぞれ制動突起２１ａ、２１ｂをそれぞれ内外から挟むようにしているので、前部蓋９、中間蓋８の回転中心に対し偏芯荷重を加えることがなく、蓋２の開閉を円滑に行なうことができる。
【００６１】
【発明の効果】
以上のように、この発明は２つの制動シューとそれらに嵌入される制動突起の位置関係により、１枚蓋の食器乾燥器における蓋の開閉時、又は前部蓋と中間蓋を備えた２枚蓋の食器乾燥器における前部蓋と中間蓋の全開時及び全閉時においてその衝撃を緩和し、静かな開閉を行なえるようにすることができる。
【００６２】
また、ベンディング片の摺動による制動トルクを加算することにより、一層確実に開閉作用を行なわせることができる。
【図面の簡単な説明】
【図１】第１実施形態の側面図
【図２】第２実施形態の側面図
【図３】第３実施形態の蓋開放状態の斜視図
【図４】同上の蓋閉止状態の一部切り欠き側面図
【図５】同上の構成部材の分解状態の平面図
【図６】（ａ）同上のヒンジ部分の断面図
（ｂ）同上のヒンジ部分解斜視図
【図７】（ａ）同上のシュー基板の斜視図
（ｂ）同上のシュー基板の正面図
（ｃ）（ｂ）図のｃ−ｃ線の断面図
【図８】（ａ）同上のヒンジ部分の断面図
（ｂ）同上のヒンジ部分の他の断面図
（ｃ）同上の規制リブ部分の一部正面図
【図９（ａ）】同上の作用説明図
【図９（ｂ）】同上の作用説明図
【図９（ｃ）】同上の作用説明図
【図９（ｄ）】同上の作用説明図
【図１０】第４実施形態の側面図
【図１１】第５実施形態の一部切り欠き側面図
【図１２】同上の構成部材の分解状態の平面図
【図１３】（ａ）同上のヒンジ部分の断面図
（ｂ）同上のヒンジ部分解斜視図
【図１４】（ａ）同上のシュー基板の斜視図
（ｂ）同上のシュー基板の正面図
（ｃ）（ｂ）図のｃ−ｃ線の断面図
（ｄ）（ｂ）図のｄ−ｄ線の断面図
【図１５】（ａ）〜（ｃ）同上の作用説明図
【符号の説明】
１  乾燥器本体
２  蓋
３  食器かご
４  水受け皿
５  温風吹出口
６  電装部
７  固定蓋
８  中間蓋
９  前部蓋
１０  シュー基板
１１  固定蓋面
１２  固定側面
１３  固定ヒンジ部
１４  支持部
１５  外側段部
１７  前端係止縁
１８、１８’  受け部
１９  軸受ボス部
２０  ヒンジキャップ
２１ａ  制動突起
２１ｂ  制動突起
２２  中間蓋面
２３  中間側面
２４  中間ヒンジ部
２５  回転ボス部
２６  後端係止縁
２７  前端係止縁
２８  回り止め溝
２９  規制突起
３２  前部蓋面
３３  前部側面
３４  前部ヒンジ部
３５  回転ボス部
３６  後端係止縁
３７  指掛け突片
３８  円弧溝
３８’  円弧溝
３９  ボス部
４０  円弧状リブ
４０’  補助リブ
４１  係合リブ
４２、４２’  制動シュー
４２ａ  自由端
４２ｂ  固定端
４３  固定部
４４  外側シュー片
４４’  内側シュー片
４５、４５’  先端屈曲部
４７  摺動溝
４８  弾性筒部
４９  係止爪
５１  内向きつば部
５２，５２’  穴
５３  溝
５４  ベンディング片
５５  外向き突起
５６  内向き突起
５７  円弧穴
５８  下端壁
５９  規制リブ
６１  凹所
【図１】
0003908014.tif 000002
【図２】
0003908014.tif 000003
【図３】
0003908014.tif 000004
【図４】
0003908014.tif 000005
【図５】
0003908014.tif 000006
【図６】
0003908014.tif 000007
【図７】
0003908014.tif 000008
【図８】
0003908014.tif 000009
【図９（ａ）】
0003908014.tif 000010
【図９（ｂ）】
0003908014.tif 000011
【図９（ｃ）】
0003908014.tif 000012
【図９（ｄ）】
0003908014.tif 000013
【図１０】
0003908014.tif 000014
【図１１】
0003908014.tif 000015
【図１２】
0003908014.tif 000016
【図１３】
0003908014.tif 000017
【図１４】
0003908014.tif 000018
【図１５】
0003908014.tif 000019